(57)【要約】【課題】  映像を見ている視聴者に、興味のある製品の情報をすぐさま開示できる動画を作成する広告動画作成配信システム及び方法の提供。【解決手段】  動画をブロードバンドコンテンツとして視聴する映像視聴者の端末１０と、ＣＭ動画映像コンテンツを提供する映像提供者のネットワークのＣＭ動画配信サーバ２を備え、端末１０から出された視聴要求に対して、ＣＭ動画配信サーバ２からＣＭ動画を前記端末に配信し、端末１０は、ＣＭ動画の中で視聴者が所望する製品の製品情報要求の指定操作をＣＭ動画の上映画面上で行い、上映画面の画像を、ＣＭ製品データベースサーバ３の画像データと比較し、前記指定され製品を特定する手段を備え、ＣＭ提供企業のＣＭ製品情報の配信用、販売情報を備えたサーバ２０を備え、前記製品が特定されると、前記製品情報により視聴者は、サーバ２０のＣＭ製品情報ファイル格納領域２５へアクセスする。【選択図】            図１
2005286882.tif 000002
【特許請求の範囲】
【請求項１】
広告対象物の情報を含む動画を配信する広告動画配信サーバと、
前記広告動画配信サーバから配信される動画を受け取り、視聴者が前記動画を視聴する端末と、
広告対象物の情報を記憶装置に記憶したデータベースサーバと、
を備え、
前記端末で視聴される前記動画中で視聴者が関心を懐いた広告対象物に対して、前記視聴者は前記端末から画面上で所定の指示操作を行い、
前記データベースサーバは、前記端末で指示された画面上の広告対象物の情報を抽出し、前記抽出された前記広告対象物を前記記憶装置から検索し、検索された広告対象物の情報提供元の情報を前記端末に通知する手段を備え、
前記端末より、前記動画中の前記広告対象物の情報提供元の製品情報又は販売情報にアクセス自在とされてなる、ことを特徴とする広告動画配信システム。
【請求項２】
前記データベースサーバは、前記端末で指示された画面上の広告対象物の画像情報と、前記記憶装置に記憶されている広告対象物の画像情報とを照合し、照合の結果、一致した場合、前記記憶装置から広告対象物に関連して記憶されている情報提供元の情報を取得する、ことを特徴とする請求項１に記載の広告動画配信システム。
【請求項３】
視聴者が動画を視聴する端末と、
前記端末に、広告製品を含む動画コンテンツ（「広告動画コンテンツ」）を配信する広告動画配信サーバと、
広告製品の画像情報を格納した広告製品データベースと、
を備え、
前記広告動画コンテンツの配信を受ける前記端末上で、視聴者が所定の指示操作により動画中の広告製品を指定すると、前記動画中で指定された広告製品の画像情報と、前記広告製品データベースに登録されている広告製品の画像情報とを比較し、前記指定された広告製品に関する情報を特定する手段を備え、
前記端末から、前記動画中で指定した広告製品の情報提供元にアクセス自在とし、前記端末より、前記広告製品の情報提供元との間で、前記広告製品の検索、調査、試用、購入の内の少なくとも１つの手続きが実行可能とされてなる、ことを特徴とする広告動画配信システム。
【請求項４】
広告提供企業の広告製品の情報の配信、販売情報を備えたサーバを備え、
前記広告製品が特定されると、前記広告製品のリンク情報により、前記視聴者の端末は、前記広告提供企業の広告製品の製品情報と販売情報を備えたサーバの所定のファイルにアクセスする、ことを特徴とする請求項３に記載の広告動画配信システム。
【請求項５】
前記端末は、前記広告製品が特定されると、前記広告製品情報を提供するサーバの製品購入の申し込み画面にアクセス可能とされる、ことを特徴とする請求項３に記載の広告動画配信システム。
【請求項６】
広告提供企業の製品の画像を含む動画を作成する手段を備えている、ことを特徴とする請求項３に記載の広告動画配信システム。
【請求項７】
前記視聴者の有料視聴時間をモニタする手段と、
前記有料視聴時間の長さに応じて割引金額を、広告動画コンテンツを視聴する視聴者の端末、及び、前記広告提供企業の広告製品情報配信用かつ販売情報を備えたサーバからの割引金額の問い合わせに返答する手段と、
を含む視聴確認サーバを備えている、ことを特徴とする請求項３に記載の広告動画配信システム。
【請求項８】
前記視聴確認サーバは、前記端末の視聴者からのアクセスを受け、前記端末の視聴者の申し込み内容と、視聴時間と、支払い料金と、有料視聴時間の累計による値引き可能金額を記憶装置に記憶し、前記広告動画コンテンツを視聴する端末の有料視聴時間の累計による値引き可能金額の確認要求に対応する、ことを特徴とする請求項７に記載の広告動画配信システム。
【請求項９】
前記広告製品データベースサーバは、前記端末の視聴者からの製品情報検索のためのアクセスに対応できるように、広告動画に用いられている広告製品の画像情報を格納したデータベースを備え、
前記端末で指定された画像情報と、前記広告製品データベースサーバが保有する広告製品の蓄積画像情報を検索し比較し、視聴者からの画像情報がどこの広告提供企業の製品画像情報であるか特定し、
前記特定された製品画像情報より、前記端末に対して、広告製品の情報発信もとを通知する手段を備えている、ことを特徴とする請求項３に記載の広告動画配信システム。
【請求項１０】
広告動画コンテンツには、そのシナリオの製作時点より、広告提供企業の製品を、動画上に登場させ、視聴者が広告製品を指定した時に、前記検索に適するように、形状が明確となるように設定されている、ことを特徴とする請求項３に記載の広告動画配信システム。
【請求項１１】
広告製品を含む動画のシナリオ作成段階で広告協賛会社のそれぞれの製品を用いて作成された動画をネットワークを介して視聴者の端末に配信する工程と、
視聴者が前記端末で動画を視聴している時に、動画中の興味を持った製品を動画の画面上で指示する工程と、
前記視聴者が前記画面上で指示した広告製品の情報と、広告製品の情報を格納したデータべースの広告製品の情報を比較して、前記視聴者が指示した広告製品の提供元の情報を取得して前記端末に連絡する工程と、
前記端末上で、前記動画を停止させ、広告製品の検索、調査、試用、購入の内の少なくとも１つの手続きを行うように導く工程と、
を含む、ことを特徴とする広告動画配信方法。
【請求項１２】
広告動画配信サーバから、視聴者の端末に、広告製品を含む動画コンテンツ（「広告動画コンテンツ」）を配信する工程と、
視聴者が前記端末で動画コンテンツを視聴する工程と、
視聴者が前記端末に表示される動画上で、広告製品を指示する工程と、
広告製品データベースが、前記指示された広告製品の画像情報を、広告製品データベースに格納された広告製品の画像情報を検索して、前記広告製品の提供元情報を特定して、前記端末に通知する工程と、
前記端末が、前記広告製品の提供元の情報に基づき、前記広告製品の製造、販売情報にアクセスする工程と、
を含む、ことを特徴とする広告動画配信方法。
【請求項１３】
製品購入を決定した視聴者は、前記広告動画コンテンツを提供する映像提供者から、値引き可能金額を確認し、前記広告提供企業のページ上で、購入、支払い、販売のいずれかのやり取りを行う工程と、
を含む、ことを特徴とする請求項１２に記載の広告動画配信方法。
【請求項１４】
前記広告動画コンテンツを提供する前記映像提供者は、広告提供企業より広告制作に支払う金額を、広告動画コンテンツの作成のための金額として、出資を集め、前記広告動画コンテンツを制作し、広帯域ネットワークに流通させる、ことを特徴とする請求項１２に記載の広告動画配信方法。
【請求項１５】
広告対象物の画像を含む動画を配信する広告動画配信サーバに通信接続される通信端末であって、
前記動画を視聴する視聴者が、前記動画で所定の指示操作を行うことで、前記広告対象物の情報が、広告対象物の情報を記憶し検索を行う広告対象物データベースサーバで検索され、検索された広告対象物情報に基づき、前記動画中の広告対象物の提供元の製品情報又は販売情報にアクセスし、前記広告対象物の検索、調査、試用、購入の内の少なくとも１つを可能としてなる、ことを特徴とする通信端末。
【請求項１６】
広告対象物を含む動画を配信する広告動画配信サーバから動画を視聴する端末上で、視聴者が動画に対して所定の指示操作を行うと、指定された前記広告対象物の画像情報を、前記広告対象物の画像情報を記憶した記憶装置から検索し、指定された前記広告対象物の画像情報と画像情報が一致している前記広告対象物に関連して前記記憶装置に格納されている前記広告対象物の提供元の情報を取得して、前記端末に通知する手段を備えている、ことを特徴とする広告対象物データベースサーバ装置。
【請求項１７】
広告対象物を含む動画を端末に配信する広告動画配信サーバであって、
広告動画コンテンツを視聴する端末上で、視聴者が、前記動画で所定の指示操作を行うと、指定された前記広告対象物の画像情報が、画像検索を行う所定の画像検索システムに、引き渡されるように構成した動画を、前記端末に配信する手段を備えている、ことを特徴とする広告動画配信サーバ装置。
【発明の詳細な説明】
【技術分野】
【０００１】
本発明は、広告動画作成配信システムに関し、特に、動画作成費用の調達等において広告実施企業の協賛を集めやすく、容易にブロードバンドコンテンツの作成・収集ができる広告動画作成配信システム及び方法に関する。
【背景技術】
【０００２】
従来、ホームページにて製品の立体ＣＧ（Computer  Graphics）を回転させて視聴者の興味をひくシステム等が知られている。また、テレビにて、ＣＭ提供企業（例えばビール会社）の製品をドラマの中のシチュエーションで使い、製品ラベル等を見えるようにする作品や、３０秒程度のＣＭの中で数回に分けて連続ドラマ風にストーリー仕立てにする作品を作る仕組（システム）等が知られている。また、放送局等における編集作業時、高速映像検索を用いて類似映像のフレームを探し出すシステム等は開発されているが、必要な映像を探し出すためにだけ使用されている。
【０００３】
なお、テレビやビデオテープ等の動画像のデータに画像中に表示されるものの属性情報を付加又は関連付ける技術として、映画をみている利用者が、俳優が持っているバッグについて、例えばそのメーカ名等を知りたい場合、利用者は、該バッグにカーソルを移動させて位置を指定すると、オブジェクト検出手段が、その位置のオブジェクト（バッグ）を検出し、属性抽出手段が、検出したオブジェクトの属性情報を記録媒体から抽出し、属性情報出力手段が、画面中にウインドウを向け、この中で属性情報を表示するようにした方法が開示されている（後記特許文献１）。後記特許文献１に記載された技術は、オブジェクトの属性情報を予めを記録媒体に記録して用意しておくというものである。
【０００４】
また、遠隔地の表示装置に動画像による効果的な広告表示を行う方法として、キーフレームと広告配信条件を入力し、キーフレーム間の対応点情報を作成し、キーフレームと対応点情報を対応付けて、タイムテーブルに保持し、配信管理部は、運行状況とタイムテーブルを参照し、広告送信部を経由し広告表示装置にキーフレーム及び対応点情報を配信する構成が開示されている（特許文献２参照）。
【０００５】
【特許文献１】特開２００１−３２６９０７号公報（第２図）
【特許文献２】特開２００３−１５７０３５号公報（第１８図）
【非特許文献１】山田昭雄、粕谷英司  「高速映像検索のためのＣｏｌｏｒ  Ｌａｙｏｕｔ記述子の開発とその国際標準化」ＮＥＣ技報  Vol.５６  No.３、２００３年３月、ｐｐ．１１−１４
【非特許文献２】粕谷英司、山田昭雄  「映像コンテンツ自動調査システム」ＮＥＣ技報  Vol.５６  No.３、２００３年３月、ｐｐ．１９−２２
【発明の開示】
【発明が解決しようとする課題】
【０００６】
しかしながら、上記した従来の手法では、視聴者が動画作品視聴中にコンテンツの中で使用している興味のある製品の情報がすぐに欲しいと思った時に、映像を止め、その画面（フレーム）上で興味のある製品を指示して、その製品の情報を簡単に入手できない。
【０００７】
動画作品の制作後に、画面の中に、意図せず自社製品が登場した製品のメーカが、新たにスポンサーになることは可能だか、該製品の情報を、動画作品上で、視聴者に簡単に提供することができない。
【０００８】
したがって、本発明の目的は、動画を見ている視聴者に、興味のある製品の情報をすぐさま開示できる動画を作成する広告動画作成配信システム及び方法を提供することにある。
【０００９】
本発明の他の目的は、ＦＴＴＨ（Fiber To The Home）等のブロードバンド通信の仕組みは出来ているのに、著作権等の規制や、コンテンツの制作費等の理由で動画コンテンツが不足しているブロードバンド配信業界に、メーカーなどＣＭ提供企業のＣＭ制作費を動画コンテンツ制作に廻す広告動画作成配信システムを提供することにある。
【課題を解決するための手段】
【００１０】
本願で開示される発明は、上記課題を解決するため、概略以下の通りとされる。本発明は、シナリオ作成段階よりＣＭ協賛各会社のそれぞれの製品を用い、視聴している時に、興味を持った製品に、簡単にアクセスできるような仕組を、動画の各フレームに組み込み、興味を持った視聴者が、インターネット等の機構により、動画を停止させ、ＣＭ製品の検索、調査、試用、購入の内の少なくとも１つの手続きを導く仕組みを、動画に組み込んだものである。
【００１１】
本発明の１つのアスペクト（側面）に係るシステムは、広告対象物の情報を含む動画を配信する広告動画配信サーバと、前記広告動画配信サーバから配信される動画を受け取り、視聴者が前記動画を視聴する端末と、広告対象物の情報を記憶装置に記憶したデータベースサーバと、を備え、前記端末で視聴される前記動画中で視聴者が関心を懐いた広告対象物に対して、前記視聴者は前記端末から画面上で所定の指示操作を行い、前記データベースサーバは、前記端末で指示された画面上の広告対象物の情報を抽出し、前記抽出された前記広告対象物を前記記憶装置から検索し、検索された広告対象物の情報提供元の情報を前記端末に通知する手段を備え、前記端末より、前記動画中の前記広告対象物の情報提供元の製品情報又は販売情報にアクセス自在とされている。
【００１２】
本発明の１つのアスペクト（側面）に係るシステムは、視聴者が動画を視聴する端末と、前記端末に、広告製品を含む動画コンテンツ（「広告動画コンテンツ」）を配信する広告動画配信サーバと、広告製品の画像情報を格納した広告製品データベースと、を備え、前記広告動画コンテンツの配信を受ける前記端末上で、視聴者が所定の指示操作により動画中の広告製品を指定すると、前記動画の広告製品の画像情報と、前記広告製品データベースに登録されている広告製品の画像情報とを比較し、前記指定された広告製品に関する情報を特定する手段を備え、前記端末から、前記指定された広告製品の情報提供元にアクセス可能としてなる。
【００１３】
本発明において、広告提供企業の広告製品の情報の配信、販売情報を備えたサーバを備え、前記広告製品が特定されると、前記広告製品の情報により、前記視聴者の端末が、前記広告提供企業の広告製品の情報の配信、販売情報を備えたサーバの広告製品情報ファイル格納領域へアクセスする。
【００１４】
本発明において、前記端末は、前記指定操作の広告製品の情報より、前記広告提供企業の広告製品情報の配信用、販売情報を備えたサーバの製品購入の申し込み画面にアクセス可能とされる。
【００１５】
本発明において、前記広告動画コンテンツを提供する映像提供者のネットワークの視聴確認サーバは、前記視聴者の有料視聴時間をモニタする手段と、前記有料視聴時間の長さに応じて割引金額を、広告動画コンテンツを視聴する映像視聴者の端末、及び、前記広告提供企業の広告製品情報配信用かつ販売情報を備えたサーバからの割引金額の問い合わせに返答する手段を備えている。
【００１６】
本発明の他のアスペクトに係る方法は、
（Ａ）広告製品を含む動画のシナリオ作成段階で広告協賛会社のそれぞれの製品を用いて作成された動画をネットワークを介して視聴者の端末に配信する工程と、
（Ｂ）視聴者が前記端末で動画を視聴している時に、動画中の興味を持った製品を動画の画面上で指示する工程と、
（Ｃ）前記視聴者が前記画面上で指示した広告製品の情報と、広告製品の情報を格納したデータベースの広告製品の情報を比較して前記視聴者が指示した広告製品の提供元の情報を取得する工程と、
（Ｄ）前記端末上で、前記動画を停止させ、広告製品の検索、調査、試用、購入の内の少なくとも１つの手続きを行うように導く工程と、
を含む。
【００１７】
本発明の他のアスペクトに係る方法は、
（Ａ）広告動画配信サーバから、視聴者の端末に、広告製品を含む動画コンテンツ（「広告動画コンテンツ」）を配信する工程と、
（Ｂ）視聴者が前記端末で動画コンテンツを視聴する工程と、
（Ｃ）視聴者が前記端末に表示される動画上で、広告製品を指示する工程と、
（Ｄ）広告製品データベースが、前記指示された広告製品の画像情報を、広告製品データベースに格納された広告製品の画像情報を検索して、前記広告製品の提供元情報を特定し、前記端末に通知する工程と、
（Ｅ）前記端末が、前記広告製品の提供元の情報に基づき、前記広告製品の製造、販売情報にアクセスする工程と、
を含む。
【発明の効果】
【００１８】
本発明によれば、視聴中の動画を止め、その画面上(フレーム)にて、購入したい製品を指定すると検索エンジンが動作し、指定の製品の情報にリンク(到達)できることにある。
【００１９】
その理由は、本発明においては、シナリオ作成段階より、製品のＣＭ情報を織り込んで動画を制作しているためである。
【００２０】
本発明によれば、リンクした製品情報から値引きでＣＭ製品を購入できることにある。
【００２１】
その理由は、本発明においては、動画の視聴者が視聴時間の長さにより値引きを受けることが出来るように構成したためである。
【発明を実施するための最良の形態】
【００２２】
次に、本発明を実施するための最良の形態について図面を参照して詳細に説明する。
【００２３】
本発明の広告動画作成配信システムは、例えばシナリライターやドラマ制作者にシナリオ作成段階より、広告（ＣＭ）協賛各会社のそれぞれの製品を、頻繁に画面に出現する手立てを講じさせ、ＣＭ製品を簡単に指定できるような仕掛けを、動画（映像）の各フレームに組み込む手段と、そのフレーム内の製品を簡単に判別クリップする像検索手段と、を備え、視聴者が興味を引いた動画上のＣＭ製品の情報を取得できるようにしている。
【００２４】
より詳細には、本発明の一実施の形態に係るシステムは、動画をブロードバンドコンテンツとして視聴する映像視聴者の端末（１０）と、ＣＭ動画映像コンテンツを提供する映像提供者のネットワークのＣＭ動画配信サーバ（２）を備え、端末（１０）から出された視聴要求に対して、ＣＭ動画配信サーバ（２）からＣＭ動画を端末（１０）に配信し、端末（１０）は、視聴したＣＭ動画の中で情報のうち、視聴者が所望する製品の製品情報要求の指定操作を、ＣＭ動画の上映画面上で行い、指定された上映画面の画像を、ＣＭ製品データベースサーバ（３）の画像データと比較し、前記指定され製品を特定して端末（１０）に通知する構成とされ、前記製品が特定されると、その製品情報により、前記視聴者の端末（１０）は、ＣＭ提供企業のＣＭ製品情報の配信用、販売情報を備えたサーバ（２０）のＣＭ製品情報等へアクセスする。
【００２５】
このように、ＣＭ製品の情報の検索が出来るような仕組みをあらかじめ仕込んだ動画を提供することにより、動画を見ている視聴者に、興味のある製品の情報をすぐさま提供することができる。
【００２６】
本発明によれば、何社かのＣＭ制作費を集めて、ＷＥＢで視聴できる動画コンテンツが制作される。制作された動画コンテンツは、単に、動画(例えばドラマ)を楽しみたい人には、途中で動画を止めることなく、通常の映像のように視聴できるコンテンツである。
【００２７】
ここで、本発明に係るシステムは、有料で視聴しているが、動画コンテンツのどこからかリンクを辿ってＣＭ提供企業側の製品を購入した場合には、製品購入価格の値引きを受けることが出来る構成とし、視聴者には、動画コンテンツを有料で見ているが、製品を購入した時には、「得をした」と思わせることができる。
【００２８】
また、ＣＭ提供企業(作品制作スポンサーでもある)は、
製品を買わない人からは、視聴費を作品制作費の案分より徴収でき、
製品を購入してもらう人には、動機付けが働き、
制作したドラマの人気がアップすれば製品購入数が増えることも期待できる。以下、具体的な実施例に即して詳細に説明する。
【実施例】
【００２９】
図１は、本発明の一実施例のシステム構成を示す図である。図１において、ネットワーク１００、端末１０、サーバ２０を備え、これらは広帯域ネットワーク３０に接続されている。
【００３０】
ネットワーク１００は、ＣＭ動画コンテンツを提供する映像（動画）提供者のネットワークである。図１を参照すると、ネットワーク１００は、視聴確認サーバ１と、ＣＭ動画配信サーバ２と、ＣＭ製品データベースサーバ３と、ＷＥＢ  ＣＭ動画作成システム４とを備えている。
【００３１】
また、端末１０は、ＣＭ動画コンテンツを視聴する視聴者の端末である。端末１０は、ＣＰＵ等よりなり端末１０全体を制御する制御部１１と、ネットワークの通信制御、データの送受信等を行う通信部１２と、バス（ＢＵＳ）１３と、ハードディスクアレイ（ＨＤＤ）１４、表示部１５を備えている。
【００３２】
そして、サーバ２０は、ＣＭ提供企業のＣＭ製品情報配信用・販売情報を備えている。サーバ２０は、ＣＰＵ等よりなりサーバ２０全体を制御する制御部２１と、ネットワークの通信制御、データの送受信等を行う通信部２２と、バス（ＢＵＳ）２３と、ハードディスクアレイ（ＨＤＤ）２４とを備えている。ハードディスクアレイ２４は、ＣＭ製品情報ファイル格納領域２５や販売情報ファイル格納領域２６を有する。
【００３３】
ネットを利用した動画ブロードバンドコンテンツを視聴するシステムにおいて、端末１０から出された視聴要求に対して、ネットワーク１００のＣＭ動画配信サーバ２から、ＣＭ動画が配信される。
【００３４】
次に、図１のネットワーク１００について説明する。視聴確認サーバ１は、視聴者の有料視聴時間を確認しており、有料視聴時間の長さに応じて、割引金額を、端末１０、及び、サーバ２０からの割引金額の問い合わせに返答する。
【００３５】
ＷＥＢ  ＣＭ動画作成システム４は、ＣＭ提供企業の製品情報を、所定の位置（随所に）挿入した動画を作成する。
【００３６】
ＣＭ動画コンテンツを提供する映像提供者は、ＣＭ提供企業より、ＣＭ制作に支払う金額を、ＣＭ動画コンテンツを作成するための金額として、出資を集め、動画ブロードバンドコンテンツを制作し、広帯域ネットワーク３０に流通させる。
【００３７】
次に、端末１０について説明する。視聴者は、端末１０から、ネットワーク３０、５を経て、ＣＭ動画配信サーバ２にアクセスし、ＣＭ動画を視聴する。
【００３８】
視聴者は、視聴中のＣＭ動画の中で、情報の欲しい製品Ａについて、端末１０より、製品情報要求の指定操作を行う。製品情報要求の指定操作は、端末１０におけるＣＭ動画の上映中に、表示部１５の上映画面上で行われる。
【００３９】
製品情報要求の指定操作により、抽出された製品Ａの画像データ（「Ａ１」とする）は、ＣＭ製品データベースサーバ３の蓄積画像データ（「Ａ０」とする）と、図示されない画像検索システム（高速画像検索システム）を用いて比較が行われ、指定操作で示された製品Ａの情報発信元を特定する。
【００４０】
ＣＭ製品データベースサーバ３の蓄積画像データ（Ａ０）を、製品情報要求の指定操作で抽出された製品Ａの画像データ（Ａ１）と照合し、製品Ａが特定されると、ＣＭ製品データベースサーバ３からの情報（例えばＵＲＬ（Uniform  Resource  Locator）情報）を受け、視聴者は、サーバ２０（ＣＭ提供企業のＣＭ製品情報配信用かつ販売情報を備えたサーバ）のハードディスクアレイ２４の中のＣＭ製品情報ファイル格納領域２５にリンクがたどり着く。
【００４１】
リンクにたどり着いた端末１０を操作した視聴者は、検索指定して調べたＣＭ製品情報（ＣＭ製品情報ファイル格納領域２５に蓄積された情報）から、気に入ったＣＭ製品であれば、サーバ２０に、製品購入を申し込む。
【００４２】
図２は、図１の視聴確認サーバ１の概略構成を示す図である。図２を参照すると、視聴確認サーバ１は、ＣＰＵ等よりなりサーバ１全体を制御する制御部１０１と、ネットワークの通信制御、データの送受信等を行う通信部１０２、バス（ＢＵＳ）１０３と、ハードディスクアレイ（ＨＤＤ）１０４を備えている。
【００４３】
視聴確認サーバ１は、端末１０の視聴者からのアクセスを受け、端末１０の視聴者の申し込み内容と、視聴時間と、支払い料金と、有料視聴時間の累計による値引き可能金額等を、ハードディスクアレイ１０４に蓄積している。また、ＣＭ動画コンテンツを視聴する端末１０の有料視聴時間の累計による値引き可能金額の確認要求に対応する。
【００４４】
図３は、図１のＣＭ動画配信サーバ２の概略構成を示す図である。図３を参照すると、ＣＭ動画配信サーバ２は、ＣＰＵ等よりなりサーバ２全体を制御する制御部２０１と、ネットワークの通信制御、データの送受信等を行う通信部２０２と、バス（ＢＵＳ）２０３と、ハードディスクアレイ（ＨＤＤ）２０４とを備えている。
【００４５】
ＣＭ動画配信サーバ２は、端末１０の視聴者からのアクセスに従い、ネットワーク５、３０を経て、端末１０に、ＣＭ動画を配信する。ＣＭ動画コンテンツは、ハードディスクアレイ（ＨＤＤ）２０４に蓄積されている。
【００４６】
図４は、図１のＣＭ製品データベースサーバ３の概略構成を示す図である。図４を参照すると、ＣＭ製品データベースサーバ３は、ＣＰＵ等よりなりサーバ３全体を制御する制御部３０１と、ネットワークの通信制御、データの送受信等を行う通信部３０２と、バス（ＢＵＳ）３０３と、ＣＭ製品データベースを構成するハードディスクアレイ（ＨＤＤ）３０４を備えている。
【００４７】
ＣＭ製品データベースサーバ３は、端末１０の視聴者からの製品情報検索のためのアクセスに対応できるように、ＣＭ動画に使用されているＣＭ製品の画像データを、ハードディスクアレイ（ＨＤＤ）３０４に蓄積している。図４に示す例では、ハードディスクアレイ（ＨＤＤ）３０４には、ＣＭ製品の画像データ格納領域３０６と、高速画像検索ソフトウェア格納領域３０５とを備えている。ＣＭ製品データベースサーバ３は、視聴者からの画像データ（Ａ１）と、ＣＭ製品データベースサーバ３が保有するＣＭ製品の蓄積画像データ（Ａ０）を、高速画像検索ソフトウェア・システムを用いて比較し、視聴者からの画像データ（Ａ１）がどこのＣＭ提供企業の製品画像データであるか特定する。
【００４８】
検索・特定された製品画像データより、サーバ２０のアドレスを、ネットワーク５、３０を経て、端末１０に対して、ＣＭ製品の情報発信もとを連絡する。
【００４９】
図５は、図１のＷＥＢ  ＣＭ動画作成システム４の概略構成を示す図である。ＷＥＢ  ＣＭ動画作成システム４は、通常の動画作成システム４０１と、ＣＭ動画作成コンセプト４０２と、を有する。
【００５０】
ＷＥＢ  ＣＭ動画作成システム４では、通常の動画作成システム４０１のほかに、ＣＭ動画作成コンセプト４０２として、シナリオの製作時点より、ＣＭ提供企業の製品を、頻繁に、動画上に登場させ、動画のストーリーとして、違和感のないように、作成される。ここで、ＣＭ製品の動画上での現れ方は、後に、視聴者がＣＭ製品を指定した時に、検索に適するように、好ましくは、形状をはっきりさせておくこと等に留意しつつ制作が行われる。
【００５１】
図６は、本発明の一実施例を説明する図であり、本発明を適用したビジネスモデルを説明するための図である。
【００５２】
まず、映像提供者１５０について、説明する。図６では、映像提供者１５０と一つで表わしている映像提供者１５０は、ＷＥＢを通じて、ブロードバンドコンテンツを有料で配信する仕事の他に、
・ＣＭ費用で、動画(ショートフィルム)の出資者となるＣＭ提供企業を集めるプロデュース機能、
・ＣＭ提供企業の製品等を、動画作品に取り込むシナリオ作成機能(外部発注あり)、
・ＣＭ提供企業の作品の中で、頻繁に製品を露出する演出機能(例えばハンドバックの場合、机の上に何気なく置いておく等)、
・動画の各フレームより、視聴者が興味を持つ製品について、画面上での指定操作から、イメージを抽出し、ＣＭ製品データベースと比較して、ＣＭ製品を特定する機能、
・特定したＣＭ製品の情報を、サーバ２０（図１の）のＷＥＢページまで導く機能、
等を具備している。
【００５３】
なお、前述した、ＣＭ製品データベースサーバ３の高速画像検索ソフトウェアは、指定フレームの中の指定範囲内にある製品と、ＣＭデータベースに蓄積したあるＣＭ製品に対する数々の画像パターン情報とを比較し、ＣＭ製品を特定する。高速画像検索ソフトウェアの働きについては、後述する。
【００５４】
また、視聴者が指定した時、
・動画を止めて、視聴者が所望するＣＭ製品の情報リンクに入る機能、
・指定時は動画を止めずに、所望のＣＭ製品の情報先を検出し、動画再生の終了後に、所望ＣＭ製品の情報リンクに入る機能、
等を、動画に仕組む機能を持つ。
【００５５】
なお、視聴者が所望する製品が、画像検索を行った結果、ＣＭ製品データベースに存在しないと判断された場合には、ＣＭ製品でないものを指定したことを、視聴者に通知する。
【００５６】
図６では、映像視聴者１１１、１１２、…、１２１、１２２、…のグループを、視聴者Ｇ−Ａ（１１０）と視聴者Ｇ−Ｂ（１２０）の２群に分けている。
【００５７】
視聴者Ｇ−ＡとＧ−Ｂは、ＷＥＢ上でブロードバンドコンテンツ（動画）を見て、視聴料を払うのは同じである。
【００５８】
視聴者Ｇ−Ａ（１１０）は、動画上映最中に、一時、視聴を止めるか、または、視聴後に、映像提供者のＷＥＢ上の機能を用いて、ＣＭ製品データベースサーバ３から、サーバ２０の情報にアクセスして、製品購入行動に移るグループである。
【００５９】
ＣＭ提供企業２１１、２１２、…、２２１、２２２…を、協賛企業Ｇ−Ａ２１０と協賛企業Ｇ−Ｂ２２０に分けている。
【００６０】
協賛企業Ｇ−ＡとＧ−Ｂは、ＷＥＢ上で、ブロードバンドコンテンツ（動画）にＣＭ料（動画制作費負担金）を払うのは同じである。
【００６１】
協賛企業Ｇ−Ａ（２１０）は、シナリオ作成段階以前より出資を宣言しているため、動画作品中に、協賛企業Ｇ−ＡのＣＭ提供製品が現れる頻度は高くなる。
【００６２】
協賛企業Ｇ−Ｂ（２２０）は、ブロードバンドコンテンツ（動画）制作後、または、上映開始後に、自社製品が映っており（例えば、車や家がバックに映っている等）、後から、ＣＭ協賛企業として参加するグループである。この場合、ＣＭ提供製品が現れる頻度は高くないが、ＣＭとして、効果的な現れ方になっている。このコンテンツの視聴者には、多くのＣＭ効果が認められる等、後からＣＭ協賛企業となる利点もある。
【００６３】
図７は、本発明の一実施例の動作を説明するための流れ図である。
【００６４】
映像提供者５０が、映像出資者を募集し（ステップ５１）、ＣＭ提供企業６０が動画制作の出資を決め（ステップ６１）、シナリオ記載製品情報を提供し（ステップ６２）、シナリオ作成に入る（ステップ５２）。
【００６５】
映像（動画）を制作する時（ステップ５３）、ＷＥＢ映像（動画）の配信（ステップ５４）を念頭に入れて制作する。また、その動画には、指定したフレームで高速検索するＣＭ製品の対応するデータのデータベースの制作を行っており（ステップ５８）、ＣＭデータベース５９（図１のＣＭ製品データベースサーバ３のデータベース）として、ＣＭ製品の検索ヒット率を高めるようにしている。
【００６６】
ＣＭ提供企業６０は、ＷＥＢ配信製品ＣＭ情報６３を、ホームページに載せ、製品購入希望者７８と、購入、支払い、販売等の内の少なくとも一つのやり取りを行うとともに、映像提供者５０から、「有料視聴時間の累計による値引き可能金額」の確認を行い、購入者７８への値引き金額の設定も行う（ステップ６４）。
【００６７】
映像視聴者７０は、映像提供者５０によるＷＥＢ映像配信にアクセスし（ステップ７１）、映像（動画）を有料視聴する（ステップ７２）。
【００６８】
動画の上映中に、映像視聴者がＣＭにアクセスするか否かで分岐する（ステップ７３）。
【００６９】
すなわち、ブロードバンドコンテンツとして、動画を楽しむ映像視聴者Ｇ−Ｂ（７４）は、視聴終了後、課金される（ステップ７６）。
【００７０】
動画の上映中にＣＭにアクセスする映像視聴者Ｇ−Ａは、動画上で製品を指示し（ステップ７５）、動画の上映中、又は上映終了後に、ＣＭデータベース５９経由で、ＷＥＢ映像配信の製品のＣＭ情報６３にアクセスし（ステップ７７）、各種情報を得る。
【００７１】
ＣＭ製品等の購入を決めた視聴者（購入者）７８は、映像提供者５０から、値引き可能金額を確認し、ＣＭ提供企業６０のホームページ上で、購入、支払い、販売等の内の少なくとも一つのやり取りを行う。
【００７２】
映像視聴者７０は、ＷＥＢ映像（動画）配信上で、自分の気に入った製品を買うことにより、有料視聴料が結果的に安くなるか（その気分となり）（ステップ７９）、ブロードバンド動画コンテンツを視聴する機会が増えることが予想される。
【００７３】
映像提供者５０は、視聴確認・集金を行い（ステップ５５）、視聴者数の割合により、出資者へ配当することも出来る（ステップ５６）。なお、本来は、ＣＭ提供企業６０のＣＭ費用で動画を制作するため、出資者へ配当する必要はないが、ブロードバンド動画コンテンツとして成功し、人気がでれば、有料コンテンツの視聴者が多くなり、出資割合により、配当が可能になる。
【００７４】
また、映像提供者５０は、この仕組みにより、ＷＥＢブロードバンドコンテンツを増やすことが可能となる（ステップ５７）。
【００７５】
ＣＭ提供企業６０は、当てにしていない配当金６５が入る可能性もある。コンテンツが流行れば、購入見込み者も増え、また、配当金も増える（ステップ６６）。
【００７６】
次に、ＣＭ製品データベースサーバ３の高速画像検索ソフトウェア（図４の高速画像検索ソフト格納領域３０５に格納されている）について説明する。高速画像検索ソフトウェアは、視聴者が購入を希望するか、調べたい製品を動画面上で指示すると、指定されたフレームと、指定範囲内にある製品の形状とを、抽出する。
【００７７】
抽出された製品の形状と、ＣＭデータベース（図７の５９、図４のＣＭ製品の画像データ格納領域３０６参照）に蓄積した数々の画像パターン情報とを比較し（一例として、一つのＣＭ製品に対して、例えば１００枚以上の多方向から撮影された画像が蓄積されている場合もある)、指定されたＣＭ製品を特定する。
【００７８】
この技術には、例えばＭＰＥＧ７を利用した、高速類似映像検索技術を用いて比較する（例えば非特許文献１、２等参照）。なお、本発明において、ＭＰＥＧ７を利用した高速類似映像検索技術に限定されるものでないことは勿論である。
【００７９】
本実施例では、特定された指定ＣＭ製品に対応するように、ＣＭ製品には、それぞれリンク先のデータがＣＭデータベース（図７の５９、図４の３０６）に格納されている。このリンクにより、指定ＣＭ製品のＣＭ提供企業のホームページに接続される。各ＣＭ提供企業のホームページに接続されれば、より詳細な製品情報が分かり、購入も簡単に行うことが出来る。
【００８０】
条件として、視聴者が欲しいと思い製品を指定した時の、指定された製品の形状は、明らかに判別可能なハッキリした形状であるとする。または、前後のフレームから、検索する製品の特徴点をよりハッキリ認識できるように指定製品の形状を抽出する仕組みを入れておく。
【００８１】
データベース制作（ステップ５８）と、動画作品の制作後に、画面の中に意図せず登場した製品のメーカから、新たに製品の情報公開に加わりたいと申し込みが行われた場合、ＣＭ製品の検索、及びＣＭ−データベース５９との比較は、上記で述べたような仕組みで行うため、１００枚以上の追加ＣＭ製品画像があれば、簡単に、ＷＥＢ映像配信５４のＣＭ提供企業に入れる。
【００８２】
本発明によれば、ネット配信された動画から、あらかじめ組み込まれているＣＭ製品の中から自分の欲しい製品の情報を導き出すことが出来るといった用途に適用できる。
【００８３】
また、著作権処理やその他の問題で、動画の不足するＷＥＢ業界に、ブロードバンドコンテンツとして、動画を多量に供給するといった用途にも、適用可能である。
【００８４】
また、動画作品制作後に、画面の中に意図せず登場した製品のメーカから、新たにスポンサーになり製品の情報公開に加わりたいという意思表示があったときに、簡単に、ＣＭ製品情報提供者となれる仕組みを提供する用途にも適用可能である。
【００８５】
なお、上記実施例において、動画（映像、ＣＭ動画）は、好ましくは、例えば３０秒のＣＭより長く、例えば２時間の映画より短く、ＣＭ製品を折込み、ＷＥＢからの販売促進を、制作段階より意図して制作された、映画風でブロードバンドコンテンツとして流すことが可能なショートフィルム的な映像よりなる。また、製品ＣＭを意識しているが、テレビショッピング的ではなく、ストーリー性を持たせ作品単独でも、映像販売可能なように作った映像作品よりなる。
【００８６】
なお、本発明において、ＣＭ製品としては有体物の製品（あるいは動産）に限らず、不動産、あるいは、観光、サービス、もしくは会員権、特典等の無体物であってもよく、任意とされる。
【００８７】
以上、本発明を上記実施例に即して説明したが、本発明は上記実施例の構成にのみ限定されるものでなく、本発明の範囲内で当業者であればなし得るであろう各種変形、修正を含むことは勿論である。
【図面の簡単な説明】
【００８８】
【図１】本発明の一実施例のシステム構成を示す図である。
【図２】本発明の一実施例における視聴確認サーバの概略構成を示す図である。
【図３】本発明の一実施例におけるＣＭ動画配信サーバの概略構成を示す図である。
【図４】本発明の一実施例におけるＣＭデータベースサーバの概略構成を示す図である。
【図５】本発明の一実施例におけるＷＥＢ  ＣＭ動画作成システムの概略構成を示す図である。
【図６】本発明の一実施例の適用を示す図である。
【図７】本発明の一実施例の処理手順を示す図である。
【符号の説明】
【００８９】
１００    ネットワーク（ＣＭ動画コンテンツを提供する映像提供者のネットワーク）
１    視聴確認サーバ
２    ＣＭ動画配信サーバ
３    ＣＭ製品データベースサーバ
４    ＷＥＢ  ＣＭ動画作成システム
５    広帯域ネットワーク（ＣＭ動画コンテンツを提供する映像提供者の広帯域ネットワーク）
１０    端末（ＣＭ動画コンテンツを視聴する映像視聴者の端末）
１１    制御部
１２    通信部
１３    バス（ＢＵＳ）
１４    ハードディスクアレイ
１５    表示部
２０    サーバ（ＣＭ提供企業のＣＭ製品情報配信用かつ販売情報を備えたサーバ）
２１    制御部
２２    通信部
２３    バス（ＢＵＳ）
２４    ハードディスクアレイ
２５    ＣＭ製品情報ファイル格納領域
２６    販売情報ファイル格納領域
３０    広帯域ネットワーク
５０    映像提供者
６０    ＣＭ提供企業
７０    映像情報視聴者
１０１    制御部
１０２    通信部
１０３    ＢＵＳ
１０４    ハードディスクアレイ
１１０    視聴者グループ
１１１、１１２、１１３    視聴者
１２０    視聴者グループ
１２１、１２２、１２３    視聴者
１５０    映像提供者
２０１    制御部
２０２    通信部
２０３    バス（ＢＵＳ）
２０４    ハードディスクアレイ
２１０    協賛企業グループ
２２０    協賛企業グループ
２１１、２１２、２１３    ＣＭ提供（参加表明協賛）企業
２２１、２２２、２２３    ＣＭ提供（参加表明協賛）企業
３０１    制御部
３０２    通信部
３０３    バス（ＢＵＳ）
３０４    ハードディスクアレイ
３０５    高速画像検索ソフトウェア格納領域
３０６    ＣＭ製品の画像データ格納領域
４０１    通常の動作作成システム
４０２    ＣＭ動画コンセプト
【図１】
2005286882.tif 000003
【図２】
2005286882.tif 000004
【図３】
2005286882.tif 000005
【図４】
2005286882.tif 000006
【図５】
2005286882.tif 000007
【図６】
2005286882.tif 000008
【図７】
2005286882.tif 000009